(57)【要約】【課題】  ブラシ部に洗浄水を流通させるにあたり、ブラシの手元で簡単に洗浄水の給、排水を調節できるようにする構造を提供すること。【解決手段】  口腔ブラシ１のブラシ部１１には注水口２および吸水口３が形成されている。夫々気密性が得られる給水タンク４と排水タンク５が形成され、注水口２側には給水タンク４、吸水口３側には排水タンク４が夫々可とう性配の管を介して配管されている。電動の空気ポンプ６が設けられ、同ポンプ６の吐出口が上記給水タンク４に、同ポンプの吸気口が上記排水タンク５に夫々配管されている。給水タンク４の一側に排気口４３を設け、可とう性の管により、排気口４３から口腔ブラシの柄部に至る排気路４４を形成するとともに、手元で排気路を閉じる調節部７が形成されている。【選択図】        図１
2006102426.tif 000002
【特許請求の範囲】
【請求項１】
下記の要件を具えた口腔洗浄ブラシ。
（イ）口腔ブラシのブラシ部には注水口および吸水口が形成されていること。
（ロ）給水タンクと排水タンクが設けられ、夫々気密性が得られる構造に形成されていること。
（ハ）ブラシ部の注水口側には給水タンク、同じくブラシ部の吸水口側には排水タンクが夫々可とう性の管を介して配管されていること。
（ニ）電動の空気ポンプが設けられ、同ポンプの吐出口が上記給水タンクに、同じく空気ポンプの吸気口が上記排水タンクに夫々配管されていること。
（ホ）給水タンクの一側に排気口を設け、可とう性の管により、排気口から口腔ブラシの柄部に至る排気路を形成するとともに、手元で排気路を閉じる調節部が形成されていること。
【発明の詳細な説明】
【技術分野】
【０００１】  本発明は、ブラシ部に洗浄水を給、排水して、口腔内を洗浄するためのブラシに関するものである。
【背景技術】
【０００２】  従来、独立した給水タンクと排水タンクを備え、一つの空気ポンプによってブラシ部に洗浄水を流通させる機能を具えた口腔内洗浄ブラシは無かった。
【発明の開示】
【発明が解決しようとする課題】
【０００３】  一つの空気ポンプの空気圧でブラシ部に洗浄水を流通させること、また、ブラシの柄部を持つ手元で簡単に洗浄水の給水を調節できるようにする構造を提供するものである。
【課題を解決するための手段】
【０００４】  本発明の口腔洗浄ブラシは下記の構造を具えているものである。（イ）口腔ブラシのブラシ部には注水口および吸水口が形成されていること。（ロ）給水タンクと排水タンクが設けられ、夫々気密性が得られる構造に形成されていること。（ハ）ブラシ部の注水口側には給水タンク、同じくブラシ部の吸水口側には排水タンクが夫々可とう性の管を介して配管されていること。（ニ）電動の空気ポンプが設けられ、同ポンプの吐出口が上記給水タンクに、同じく吸気口が上記排水タンクに夫々配管されていること。（ホ）給水タンクの一側に排気口を設け、可とう性の管により、排気口から口腔ブラシの柄部に至る排気路を形成するとともに、手元で排気路を閉じるための調節部を形成してなることである。
【発明の効果】
【０００５】  気密性を得られる構造に形成された給水タンク４と排水タンク５を設け、これに連なる電動の空気ポンプ６を作動させる。また、口腔ブラシの柄部１２に設けた調節部７を指で閉じ排気路４５を閉塞する。この状態で、空気ポンプ６の吐出空気圧が給水タンク４に加わり、予め給水タンク４に入れた水を、口腔ブラシ１のブラシ部１１の注水口２を通して口腔内に供給することができる。【０００６】  これと同時に上記空気ポンプ６の吸気圧をもってブラシ部１１の吸水口３を通して口腔内の水を排水タンク５内に吸引することができる。また、上記調節部７を開放すると、給水タンク４にたいする空気ポンプ６からの吐出圧力がバイパスされ、瞬時に口腔内の給水が出なくなる。【０００７】  上記の様に、一つの空気ポンプ６で、その吐出圧、吸気圧を利用して効率良く口腔内に水を供給でき、ブラシ部１１によるブラッシングとともに口腔内を洗浄することができる。とくに、口腔内を洗浄するための水の供給を手元の簡単な操作で容易に調節でき、安全性と使い勝手を良くすることができる。
【発明を実施するための最良の形態】
【０００８】  上記口腔ブラシ部１はブラシ部１１と柄部１２によって構成されている。ブラシ部１１は柄部１２の配管２２、配管３２に密着するゴムパッキング１７を介して着脱自在に形成されている。またブラシ殖込部１３と配管２２、配管３２の貫通部との間を仕切板１４で二つに分けて給水路１５と排水路１６が形成されている。給水路１５のブラシ殖込部１３の側近のには注水口２が形成されている。またブラシ殖込部１３の中央には排水路１６に通じる開口が形成され、軟質素材によるパイプ状の吸水口３が設けられている。【０００９】  器体８内にはモータ６１、電池６２、スイッチ６３を具えた電動の空気ポンプ６が設けられている。同ポンプ６の吐出口６４には可とう性の管６５を介して上記給水タンク４側に配管され、同じくポンプ６の吸気口６６には可とう性の管６７を介して上記排水タンク５側に配管されている。【００１０】  上記ブラシ部１１の注水口２に通じる配管２２には可とう性の管２１を介して給水タンク４側に配管され、同じくブラシ部１１の吸水口３に通じる配管３２にはには可とう性の管３１を介して排水タンク５側に配管されている。上記給水タンク４の上部には排気口４３が形成され、この排気口４３には可とう性配の管４４が接続され、この管４４を通して排気口４３から口腔ブラシ１の柄部１２の調節部７に通じる排気路４５が形成されている。【００１１】  空気ポンプ室を形成する器体８の上部には軸受８１が形成され、同軸受８１には蓋体８２が回動自在に軸受されている。蓋体８２の底面には給水タンク４の口部４１と、排水タンク５の口部５１に夫々密着する凹部４２、５２が形成されている。従って、蓋体８２を閉じると、凹部４２、５２により夫々給水タンク４と排水タンク５の気密性が得られる様に構成されている。これらの凹部４２には上記管２１、４４、６５、同じく凹部５２には上記管３１、６７が夫々気密に取付けられている。【００１２】  図３の様に柄部１２には排気路４５を閉じるための調節部材７１を設けることができる。調節部材７１は軸７２で軸受けされている。従って一方の操作端７３を押圧すると、他方の作用端７４が移動して、これに対向する排気路４５が閉じられる。【００１３】  器体８の底部に設けた基台８３には上記給水タンク４と、排水タンク５を着脱自在に取付けるための凹部８４が形成され、その側近には口腔ブラシ１を不使用時に立てかけておくためのスタンド８５が突設されている。【００１４】  柄部１２に対してブラシ部１１を着脱自在に形成することによって、ブラシ部１１を必要に応じて容易に洗浄することができる。また、軟質素材によるパイプ状の吸水口３は口径を大きくすることによって、吸水の際のごみによる目詰まりをなくして吸引を容易にすることができる。
【実施例】
【００１５】  本発明の実施例によると口腔ブラシは１５ｃｍ、給水タンクおよび排水タンクの高さは約１３ｃｍ、直径６ｃｍ、電動の空気ポンプ室は高さは約１４ｃｍ、直径８ｃｍである。
【図面の簡単な説明】
【００１６】
【図１】  本発明の口腔洗浄ブラシの要部透視図である。
【図２】  本発明の口腔洗浄ブラシの要部斜視図である。
【図３】  本発明の他の口腔洗浄ブラシの要部斜視図である。
【符号の説明】
【００１７】  １  口腔ブラシ
２  注水口
３  吸水口
４  給水タンク
５  廃水タンク
６  空気ポンプ
７  調節部
８  器体
１１  ブラシ部
１２  柄部
【図１】
2006102426.tif 000003
【図２】
2006102426.tif 000004
【図３】
2006102426.tif 000005